(57)【要約】【課題】更新設定作業の手間を軽減できる遠隔管理システム及びその管理装置を提供する。【解決手段】  試運転ツール９が、機種データに適合するセンター側機種対応データを記憶装置４２から取得してローカルコントローラ３に与える。ローカルコントローラ３が、試運転ツール９から与えられたセンター側機種対応データを中央管理装置２に送信する。中央管理装置２が、ローカルコントローラ３から受信したセンター側機種対応データをデータベースサーバ１３に記憶することにより、ローカルコントローラ３の記憶部３１のローカル側機種対応データと中央管理装置２のデータベースサーバ１３のセンター側機種対応データとの整合を取る。【選択図】図４
2010038430.tif 000002
【特許請求の範囲】
【請求項１】
接続されている設備機器（５ａ，５ｂ，５ｃ…５ｍ）を管理して前記設備機器に関する所定のデータを発信する複数のローカル管理装置（３，３ａ，３ｂ…３ｍ）と、
通信回線を介して前記複数のローカル管理装置を遠隔管理し前記所定のデータの受信を行う中央管理装置（１）と、
前記複数のローカル管理装置の各々に設けられ、初期設定後の前記設備機器の管理及び初期設定後の前記所定のデータの発信に必要なローカル側機種対応データを記憶する複数の第１の管理情報記憶手段（３１）と、
前記中央管理装置に設けられ、初期設定後の前記所定のデータの受信に必要なセンター側機種対応データを記憶する第２の管理情報記憶手段（１３）と、
初期設定時に前記ローカル管理装置に接続される初期設定手段（９，４２ｅ）と、
前記初期設定手段に接続され、前記ローカル管理装置が管理している前記設備機器の機種データを取得して前記初期設定手段に与える機種データ取得手段（９，４２ｄ）と、
前記初期設定手段に接続され、複数種類の前記センター側機種対応データを記憶している第３の管理情報記憶手段（４２）を備え、
前記初期設定手段が、前記機種データに適合する前記センター側機種対応データを前記第３の管理情報記憶手段から取得して前記ローカル管理装置に与え、
前記ローカル管理装置が、前記初期設定手段から与えられた前記センター側機種対応データを前記中央管理装置に送信し、
前記中央管理装置が、前記ローカル管理装置から受信した前記センター側機種対応データを前記第２の管理情報記憶手段に記憶することにより、前記第１の管理情報記憶手段の前記ローカル側機種対応データと前記第２の管理情報記憶手段の前記センター側機種対応データとの整合を取る遠隔管理システム。
【請求項２】
初期設定時に前記ローカル管理装置に接続して用いられる試運転装置（９）をさらに備え、
前記第３の管理情報記憶手段、前記機種データ取得手段及び前記初期設定手段が前記試運転装置に設けられ、
前記試運転装置は、初期設定時に、前記機種データに適合する前記センター側機種対応データを前記ローカル管理装置に送信する、請求項１に記載の遠隔管理システム。
【請求項３】
接続されている設備機器（５ａ，５ｂ，５ｃ…５ｍ）を管理して前記設備機器に関する所定のデータを発信する複数のローカル管理装置（３，３ａ，３ｂ…３ｍ）と、
通信回線を介して前記複数のローカル管理装置を遠隔管理し前記所定のデータの受信を行う中央管理装置（１）と、
前記複数のローカル管理装置の各々に設けられ、初期設定後の前記設備機器の管理及び初期設定後の前記所定のデータの発信に必要な機種対応プログラム及びローカル側機種対応データを記憶する複数の第１の管理情報記憶手段（３１）と、
前記中央管理装置に設けられ、初期設定後の前記所定のデータの受信に必要なセンター側機種対応データを記憶する第２の管理情報記憶手段（１３）と、
初期設定時に前記中央管理装置に接続される初期設定手段（１２，２３ｈ）と、
前記初期設定手段に接続され、前記ローカル管理装置が管理している前記設備機器の機種データを取得して前記初期設定手段に与える機種データ取得手段（１２，２３ｇ）と、
前記初期設定手段に接続され、複数種類の前記ローカル側機種対応データを記憶している第３の管理情報記憶手段（２３）を備え、
前記初期設定手段が、前記機種データに適合する前記ローカル側機種対応データを前記第３の管理情報記憶手段から取得して前記中央管理装置に与え、
前記中央管理装置が、前記機種データに適合する前記ローカル側機種対応データを前記ローカル管理装置に送信し、
前記ローカル管理装置が、前記中央管理装置から受信した前記ローカル側機種対応データを前記第１の管理情報記憶手段に記憶することにより、前記第１の管理情報記憶手段の前記ローカル側機種対応データと前記第２の管理情報記憶手段の前記センター側機種対応データとの整合を取る遠隔管理システム。
【請求項４】
前記第３の管理情報記憶手段、前記機種データ取得手段及び前記初期設定手段が前記中央管理装置に設けられ、
前記中央管理装置は、前記機種データに適合する前記ローカル側機種対応データを前記第３の管理情報記憶手段から取得して前記ローカル管理装置に送信する、請求項３に記載の遠隔管理システム。
【請求項５】
前記第１の管理情報記憶手段は、前記ローカル側機種対応データとともに初期設定後の前記設備機器の管理及び初期設定後の前記所定のデータの発信に必要な機種対応プログラムを記憶し、
前記第３の管理情報記憶手段は、複数種類の前記ローカル側機種対応データとともに複数種類の前記機種対応プログラムをあわせて記憶しており、
前記中央管理装置は、前記機種データに適合する前記機種対応プログラムを前記ローカル側機種対応データとともに前記第３の管理情報記憶手段から取得して前記ローカル管理装置に送信し、
前記ローカル管理装置は、前記中央管理装置から受信した前記機種対応プログラム及び前記ローカル側機種対応データを前記第１の管理情報記憶手段に記憶することにより、前記第１の管理情報記憶手段の前記機種対応プログラム及び前記ローカル側機種対応データと前記第２の管理情報記憶手段の前記センター側機種対応データとの整合を取る、請求項４に記載の遠隔管理システム。
【請求項６】
前記第１及び第２の管理情報記憶手段に記憶される前記ローカル側機種対応データ及び前記センター側機種対応データを変更する第１の変更手段（２３ｅ）をさらに備える、請求項１から５のいずれかに記載の遠隔管理システム。
【請求項７】
前記第３の管理情報記憶手段に記憶されている前記センター側機種対応データ及び前記第１の管理情報記憶手段に記憶されている前記ローカル側機種対応データを変更する第２の変更手段（４２ｆ，２３ｅ）をさらに備える、請求項１から６のいずれかに記載の遠隔管理システム。
【請求項８】
接続されている設備機器（５ａ，５ｂ，５ｃ…５ｍ）を管理して前記設備機器に関する所定のデータを発信する複数のローカル管理装置（３，３ａ，３ｂ…３ｍ）と、通信回線を介して前記複数のローカル管理装置を遠隔管理し前記所定のデータの受信を行う中央管理装置（１）と、前記複数のローカル管理装置の各々に設けられ初期設定後の前記設備機器の管理と初期設定後の前記所定のデータの発信に必要なローカル側機種対応データを記憶する複数の第１の管理情報記憶手段（３１）と、前記中央管理装置に設けられている第２の管理情報記憶手段（１３）と、初期設定後の前記所定のデータの受信に必要なセンター側機種対応データを複数種類記憶している第３の管理情報記憶手段（４２）を備える遠隔管理システム（１）の初期設定方法であって、
前記ローカル管理装置が管理している前記設備機器の機種データを取得する第１のステップと、
前記第１のステップで取得した前記機種データに適合する前記センター側機種対応データを前記第３の管理情報記憶手段から取得する第２のステップと、
前記第２のステップで取得した前記センター側機種対応データを前記ローカル管理装置から前記中央管理装置に送信させて前記第２の管理情報記憶手段に記憶することにより、前記第１の管理情報記憶手段の前記ローカル側機種対応データと前記第２の管理情報記憶手段の前記センター側機種対応データとの整合を取る第３のステップと
を備える遠隔管理システムの初期設定方法。
【請求項９】
初期設定時に前記ローカル管理装置に接続して用いられる試運転装置（９）をさらに備え、前記第３の管理情報記憶手段が前記試運転装置に設けられ、
前記第１のステップでは、前記試運転装置が前記ローカル管理装置から前記機種データを取得し、
前記第３のステップでは、前記第２のステップで取得した前記センター側機種対応データを、前記試運転装置が前記ローカル管理装置から前記中央管理装置に送信させて前記第２の管理情報記憶手段に記憶する、請求項８に記載の遠隔管理システムの初期設定方法。
【請求項１０】
接続されている設備機器（５ａ，５ｂ，５ｃ…５ｍ）を管理して前記設備機器に関する所定のデータを発信する複数のローカル管理装置（３，３ａ，３ｂ…３ｍ）と、通信回線を介して前記複数のローカル管理装置を遠隔管理し前記所定のデータの受信を行う中央管理装置（１）と、前記複数のローカル管理装置の各々に設けられている複数の第１の管理情報記憶手段（３１）と、前記中央管理装置に設けられ初期設定後の前記所定のデータの受信に必要なセンター側機種対応データを記憶する第２の管理情報記憶手段（１３）と、前記中央管理装置に設けられ、初期設定後の設備機器の管理と初期設定後の前記所定のデータの発信に必要なローカル側機種対応データを複数種類記憶している第３の管理情報記憶手段（２３）を備える遠隔管理システム（１）の初期設定方法であって、
前記ローカル管理装置が管理している前記設備機器の機種データを取得する第１のステップと、
前記第１のステップで取得した前記機種データに適合する前記ローカル側機種対応データを前記第３の管理情報記憶手段から取得する第２のステップと、
前記第２のステップで取得した前記ローカル側機種対応データを、前記中央管理装置から前記ローカル管理装置へ送信して前記第１の記憶手段に記憶することにより、前記第１の管理情報記憶手段の前記ローカル側機種対応データと前記第２の管理情報記憶手段の前記センター側機種対応データとの整合を取る第３のステップと
を備える遠隔管理システムの初期設定方法。
【請求項１１】
前記第１の管理情報記憶手段は、初期設定後の前記設備機器の管理及び初期設定後の前記所定のデータの発信に必要な機種対応プログラムを記憶し、
前記第３の管理情報記憶手段は、複数種類の前記ローカル側機種対応データとともに複数種類の前記機種対応プログラムをあわせて記憶しており、
前記第２のステップでは、前記第１のステップで取得した前記機種データに適合する前記機種対応プログラムを前記ローカル側機種対応データとともに前記第３の管理情報記憶手段から取得し、
前記第３のステップでは、前記第２のステップで取得した前記機種対応プログラムを前記ローカル側機種対応データとともに前記中央管理装置から前記ローカル管理装置に送信させて前記第１の管理情報記憶手段に記憶することにより、前記第１の管理情報記憶手段の前記機種対応プログラム及び前記ローカル側機種対応データと前記第２の管理情報記憶手段の前記センター側機種対応データとの整合を取る、請求項１０に記載の遠隔管理システムの初期設定方法。
【請求項１２】
前記第３のステップの前に、前記第３の管理情報記憶手段に記憶されている前記センター側機種対応データ及び前記第1の管理情報記憶手段に記憶されている前記ローカル側機種対応データを変更するステップをさらに備える、請求項８から１１のいずれかに記載の遠隔管理システムの初期設定方法。
【請求項１３】
初期設定後に、前記第１及び第２の管理情報記憶手段に記憶されている前記ローカル側機種対応データ及び前記センター側機種対応データを変更するステップをさらに備える、請求項８から１２のいずれかに記載の遠隔管理システムの初期設定方法。
【発明の詳細な説明】
【技術分野】
【０００１】
本発明は、通信回線を介して設備機器を遠隔管理する遠隔管理システムおよびその初期設定方法に関し、特に、ビルなどの物件に設けられる室外機とビルのフロアなどの区画に設けられる室内機からなる空調機器のような複合的な設備機器の遠隔管理システム及びその初期設定方法に関する。
【背景技術】
【０００２】
ビルなどの物件の空調を行うため、物件ごとに、１台または複数台の室外機とビルの各フロアの複数の室内機とからなる空調機器が設けられている。複数のビルの空調機器を集中的に監視するため、ローカルコントローラがビルなどの物件ごとに設けられて各空調機器の管理を行っている。これら複数のローカルコントローラを一括して監視するため、公衆通信回線を介して複数のローカルコントローラと中央管理装置との間でデータの送受信が行われる。
【０００３】
このローカルコントローラには、空調機器などの設備機器の管理方法などの各種設定を保持するハードウェアが必要である。従来、ローカルコントローラには、ハードウェアとして、１００種類以上の空調機器の機種データにあわせて発報データの送信を行うためのデータと、機種ごとに最適に制御するための制御プログラムとを保持する記憶装置が利用されている（特許文献１参照）。
【０００４】
一方、ローカルコントローラから送られてくるデータのパターンなどが機種ごとに異なるため、中央管理装置はローカルコントローラの機種データに合わせて発報データの受信を行うためのデータを保持する記憶装置を備えている。
【特許文献１】特開２００４−２３２９８０号公報
【発明の開示】
【発明が解決しようとする課題】
【０００５】
導入工事の際、更新工事などで別の機種を導入した際、または室内機などを追加して空調機器の構成を変更する際に、ローカルコントローラの記憶装置に記憶されている機種データに合わせた発報データの送信を行うためのデータと制御プログラムとを更新する必要があり、また同時に中央管理装置の記憶装置に記憶されている、機種データに合わせた発報データの受信を行うためのデータを更新する必要があり、更新設定作業の手間が生じてしまう。
【０００６】
本発明の課題は、更新設定作業の手間を軽減できる遠隔管理システム及びその管理装置を提供することにある。
【課題を解決するための手段】
【０００７】
第１の発明に係る遠隔管理システムは、中央管理装置と、複数のローカル管理装置と、複数のローカル管理装置の各々に設けられた複数の第１の管理情報記憶手段と、中央管理装置に設けられた第２の管理情報記憶手段と、初期設定時にローカル管理装置に接続される初期設定手段と、初期設定手段に接続される機種データ取得手段と、初期設定手段に接続される第３の管理情報記憶手段とを備えている。複数のローカル管理装置は、接続されている設備機器を管理して設備機器に関する所定のデータを発信する。中央管理装置は、通信回線を介して複数のローカル管理装置を遠隔管理し所定のデータの受信を行う。複数の第１の管理情報記憶手段は、初期設定後の設備機器の管理及び初期設定後の初期データの発信に必要なローカル側機種対応データを記憶する。第２の管理情報記憶手段は、初期設定後の所定のデータの受信に必要なセンター側機種対応データを記憶する。第３の管理情報記憶手段は、複数種類のセンター側機種対応データを記憶している。
【０００８】
初期設定手段が、機種データに適合するセンター側機種対応データを第３の管理情報記憶手段から取得してローカル管理装置に与える。ローカル管理装置が、初期設定手段から与えられたセンター側機種対応データを中央管理装置に送信する。中央管理装置が、ローカル管理装置から受信したセンター側機種対応データを第２の管理情報記憶手段に記憶することにより、第１の管理情報記憶手段のローカル側機種対応データと第２の管理情報記憶手段のセンター側機種対応データとの整合を取る。
【０００９】
本発明によれば、例えば更新工事により新しい機種の機器が追加され設備機器が変更されても、初期設定時に、機種データ取得手段から初期設定手段に対して新しい追加機種について機種データが与えられる。それにより、初期設定手段では、新機種の機器が追加され変更のあった設備機器に接続されているローカル管理装置と新しい機種とについて認識することができる。そこで初期設定手段は、新機種が追加された設備機器に接続しているローカル管理装置に対して、変更された設備機器の新機種に適合するセンター側機種対応データを第３の管理情報記憶手段から取得して与える。そうすると、新しい機種追加のあったローカル管理装置から中央管理装置の第２の管理情報記憶手段に、その新しい機種に適合するセンター側機種対応データを送って記憶させることができる。
【００１０】
第２発明に係る遠隔管理システムは、第１発明の遠隔管理システムであって、試運転装置をさらに備える。試運転装置は、初期設定時にローカル管理装置に接続して用いられる。試運転装置には、第３の管理情報記憶手段と、機種データ取得手段と、初期設定手段が設けられている。この試運転装置は、初期設定時に、機種データに適合するセンター側機種対応データをローカル管理装置に送信する。
【００１１】
本発明によれば、新しい機種の追加があったローカル管理装置の試運転を行う場所において、新しい機種に対応するために中央管理装置が必要とするセンター側機種対応データを、試運転装置によってローカル管理装置に与えることができる。
【００１２】
第３発明に係る遠隔管理システムは、中央管理装置と、複数のローカル管理装置と、複数のローカル管理装置の各々に設けられた複数の第１の管理情報記憶手段と、中央管理装置に設けられた第２の管理情報記憶手段と、初期設定時にローカル管理装置に接続される初期設定手段と、初期設定手段に接続される機種データ取得手段と、初期設定手段に接続される第３の管理情報記憶手段とを備えている。複数のローカル管理装置は、接続されている設備機器を管理して設備機器に関する所定データを発信する。中央管理装置は、通信回線を介して複数のローカル管理装置を遠隔管理し所定のデータの受信を行う。複数の第１の管理情報記憶手段は、初期設定後の設備機器の管理及び初期設定後の所定のデータの発信に必要な機種対応プログラム及びローカル側機種対応データを記憶する。第２の管理情報記憶手段は、初期設定後の所定のデータの受信に必要なセンター側機種対応データを記憶する。機種データ取得手段は、ローカル管理装置が管理している設備機器の機種データを取得して初期設定手段に与える。第３の管理情報記憶手段は、複数種類のローカル側機種対応データを記憶している。初期設定手段が、機種データに適合するローカル側機種対応データを第３の管理情報記憶手段から取得して中央管理装置に与える。中央管理装置が、機種データに適合するローカル側機種対応データをローカル管理装置に送信する。ローカル管理装置が、中央管理装置から受信したローカル側機種対応データを第１の管理情報記憶手段に記憶することにより、第１の管理情報記憶手段のローカル側機種対応データと第２の管理情報記憶手段のセンター側機種対応データとの整合を取る。
【００１３】
本発明によれば、例えば更新工事により新しい機種の機器が追加され設備機器が変更されても、初期設定時に、変更のあった設備機器に接続されているローカル管理装置から、機種データ取得手段が機種データを取得して初期設定手段に与える。それにより、初期設定手段では、新しい機種追加のあったローカル管理装置と新しい機種とを認識することができる。そこで初期設定手段は、変更された設備機器について、ローカル側機種対応データを第３の管理情報記憶手段から取得して中央管理装置に与える。そうすると、中央管理装置から、その新しい機種追加のあったローカル管理装置にローカル側機種対応データを送って、第１の管理情報記憶手段に新しい機種のローカル側機種対応データを記憶させることができる。
【００１４】
第４発明に係る遠隔管理システムは、第３発明の遠隔管理システムであって、中央管理装置に、第３の管理情報記憶手段、機種データ取得手段及び初期設定手段が設けられている。中央管理装置は、機種データに適合するローカル側機種対応データを第３の管理情報記憶手段から取得してローカル管理装置に送信する。
【００１５】
本発明によれば、中央管理装置は、既にローカル側機種対応データを記憶しており、他からローカル側機種対応データをロードする必要がない。
【００１６】
第５発明に係る遠隔管理システムは、第４発明の遠隔管理システムであって、第１の管理情報記憶手段は、ローカル側機種対応データとともに初期設定後の設備機器の管理及び初期設定後の所定のデータの発信に必要な機種対応プログラムを記憶する。第３の管理情報記憶手段は、複数種類のローカル側機種対応データとともに複数種類の機種対応プログラムをあわせて記憶している。ローカル管理装置は、中央管理装置から受信した機種対応プログラム及びローカル側機種対応データを第１の管理情報記憶手段に記憶することにより、第１の管理情報記憶手段の機種対応プログラム及びローカル側機種対応データと第２の管理情報記憶手段のセンター側機種対応データとの整合を取る。
【００１７】
本発明によれば、新しい機種の追加があったとき、ローカル側機種対応データとともに機種対応プログラムを中央管理装置からローカル管理装置に送信することができる。そのため、ローカル管理装置で、予め必要と考えられる全ての機種対応プログラムを保持する必要がなくなる。
【００１８】
第６発明に係る遠隔管理システムは、第１発明から第５発明のいずれかの遠隔管理システムであって、第１の変更手段をさらに備えている。第１変更手段により、第１の管理情報記憶手段に記憶されるローカル側機種対応データ及び第２の管理情報記憶手段に記憶されるセンター側機種対応データを変更することができる。
【００１９】
本発明によれば、第１変更手段により、使用実績を見てから、ローカル側機種対応データ及びセンター側機種対応データの項目のうち必要のなくなった項目を例えば削除することができる。言い換えれば、使用実績を検討しながらローカル管理装置と中央管理装置の間で遣り取りされるデータの適正化を図ることができる。
【００２０】
第７発明に係る遠隔管理システムは、第１発明から第６発明の遠隔管理システムであって、第２の変更手段をさらに備える。第２変更手段は、第３の管理情報記憶手段に記憶されているセンター側機種対応データ及び第１の管理情報記憶手段に記憶されているローカル側機種対応データを変更することができる。
【００２１】
本発明によれば、第２変更手段により、試運転前まで使用実績を勘案して、ローカル側機種対応データ及びセンター側機種対応データの項目のうち必要のなくなった項目を例えば削除することができる。言い換えれば、他のローカル管理装置で管理されている他の設備機器の使用実績を検討して、ローカル管理装置と中央管理装置の間で遣り取りされるデータの適正化を図ることができる。
【００２２】
第８発明に係る遠隔管理システムの初期設定方法は、接続されている設備機器を管理する複数のローカル管理装置と、通信回線を介して複数のローカル管理装置を遠隔管理する中央管理装置と、複数のローカル管理装置の各々に設けられている複数の第１の管理情報記憶手段と、中央管理装置に設けられている第２の管理情報記憶手段と、第３の管理情報記憶手段とを備える遠隔管理システムの初期設定方法である。
【００２３】
複数のローカル管理装置は、設備機器に関する所定のデータを発信する。中央管理装置は、通信回線を介して複数のローカル管理装置から所定のデータの受信を行う。複数の第１の管理情報記憶手段は、初期設定後の設備機器の管理と初期設定後の所定のデータの発信に必要なローカル側機種対応データを記憶する。第３の管理情報記憶手段は、初期設定後の所定のデータの受信に必要なセンター側機種対応データを複数種類記憶している。
【００２４】
第１のステップでは、ローカル管理装置が管理している設備機器の機種データを取得する。第２のステップでは、第１のステップで取得した機種データに適合するセンター側機種対応データを第３の管理情報記憶手段から取得する。第３のステップでは、第２のステップで取得したセンター側機種対応データをローカル管理装置から中央管理装置に送信させて第２の管理情報記憶手段に記憶させることにより、第１の管理情報記憶手段のローカル側機種対応データと第２の管理情報記憶手段のセンター側機種対応データとの整合を取る。
【００２５】
本発明によれば、例えば更新工事により新しい機種の設備機器が追加されても、第１のステップで、新しい機種の設備機器が追加されたローカル管理装置が管理している設備機器の機種データを取得する。第２のステップで、新しい機種の設備機器に必要なセンター側機種対応データを第３の管理情報記憶手段から取得することができる。第３のステップで、新しい機種に必要なセンター側機種対応データをローカル管理装置から中央管理装置に送信させて中央管理装置の第２の管理情報記憶手段に記憶させることができる。それにより、第１の管理情報記憶手段のローカル側機種対応データと第２の管理情報記憶手段のセンター側機種対応データとの整合が取られる。
【００２６】
第９発明に係る遠隔管理システムの初期設定方法は、第８発明の遠隔管理システムの初期設定方法であって、遠隔管理システムが、初期設定時にローカル管理装置に接続して用いられる試運転装置をさらに備える。また、第３の管理情報記憶手段が試運転装置に設けられている。第１のステップでは、試運転装置がローカル管理装置から機種データを取得する。第３のステップでは、第２のステップで取得したセンター側機種対応データを、試運転装置がローカル管理装置から中央管理装置に送信させて第２の管理情報記憶手段に記憶する。
【００２７】
本発明によれば、新しい機種の追加されたローカル管理装置が設置されている場所において、新しい機種に必要なセンター側機種対応データを試運転装置によりローカル管理装置に与えることができる。
【００２８】
第１０発明に係る遠隔管理システムの初期設定方法は、接続されている設備機器を管理する複数のローカル管理装置と、通信回線を介して複数のローカル管理装置を遠隔管理する中央管理装置と、複数のローカル管理装置の各々に設けられている複数の第１の管理情報記憶手段と、中央管理装置に設けられている第２の管理情報記憶手段と、中央管理装置に設けられている第３の管理情報記憶手段とを備える遠隔管理システムの初期設定方法である。
【００２９】
ローカル管理装置は、設備機器に関する所定のデータを発信する。中央管理装置は、通信回線を介して複数のローカル管理装置から所定のデータの受信を行う。第２の管理情報記憶手段は、初期設定後の所定のデータの受信に必要なセンター側機種対応データを記憶する。第３の管理情報記憶手段は、初期設定後の設備機器の管理と初期設定後の所定のデータの発信に必要なローカル側機種対応データを複数種類記憶している。
【００３０】
第１ステップでは、ローカル管理装置が、管理している設備機器の機種データを取得する。第２ステップでは、第１のステップで取得した機種データに適合するローカル側機種対応データを第３の管理情報記憶手段から取得する。第３ステップでは、第２のステップで取得したローカル側機種対応データを、中央管理装置からローカル管理装置へ送信して第１の記憶手段に記憶することにより、第１の管理情報記憶手段のローカル側機種対応データと第２の管理情報記憶手段のセンター側機種対応データとの整合を取る。
【００３１】
本発明によれば、例えば更新工事により新しい機種の機器が追加され設備機器が変更されても、第１のステップで、新しい機種の追加があった設備機器に接続されたローカル管理装置が管理している設備機器の機種データを取得する。第２のステップで、新しい機種追加のあった設備機器に必要なローカル側機種対応データを第３の管理情報記憶手段から取得することができる。第３のステップで、新しい機種に必要なセンター側機種対応データを中央管理装置からローカル管理装置に送信させてローカル管理装置の第１の管理情報記憶手段に記憶させることができる。それにより、第１の管理情報記憶手段のローカル側機種対応データと第２の管理情報記憶手段のセンター側機種対応データとの整合が取られる。
【００３２】
第１１発明に係る遠隔管理システムの初期設定方法は、第１０発明に係る遠隔管理システムの初期設定方法であって、第１の管理情報記憶手段は、初期設定後の設備機器の管理及び初期設定後の所定のデータの発信に必要な機種対応プログラムを記憶する。第３の管理情報記憶手段は、複数種類のローカル側機種対応データとともに複数種類の機種対応プログラムをあわせて記憶している。
【００３３】
第２のステップでは、第１のステップで取得した機種データに適合する機種対応プログラムをローカル側機種対応データとともに第３の管理情報記憶手段から取得する。第３のステップでは、第２のステップで取得した機種対応プログラムをローカル側機種対応データとともに中央管理装置からローカル管理装置に送信させて第１の管理情報記憶手段に記憶する。それにより、第１の管理情報記憶手段の機種対応プログラム及びローカル側機種対応データと第２の管理情報記憶手段のセンター側機種対応データとの整合を取る。
【００３４】
本発明によれば、新しい機種の追加があったとき、ローカル側機種対応データとともに機種対応プログラムを中央管理装置からローカル管理装置に送信することができる。そのため、ローカル管理装置で、予め必要と考えられる全ての機種対応プログラムを保持する必要がなくなる。
【００３５】
第１２発明に係る遠隔管理システムの初期設定方法は、第８発明から第１１発明のいずれかの遠隔管理システムの初期設定方法であって、第３のステップの前に、第３の管理情報記憶手段に記憶されているセンター側機種対応データ及び第1の管理情報記憶手段に記憶されているローカル側機種対応データを変更するステップをさらに備える。
【００３６】
本発明によれば、試運転前までの使用実績を勘案して、第３の管理情報記憶手段に記憶されているセンター側機種対応データ及び第１の管理情報記憶手段に記憶されているローカル側機種対応データを変更することができる。
【００３７】
第１３発明に係る遠隔管理システムの初期設定方法は、第８発明から第１２発明のいずれかの遠隔管理システムの初期設定方法であって、初期設定後に、第１及び第２の管理情報記憶手段に記憶されているローカル側機種対応データ及びセンター側機種対応データを変更するステップをさらに備える。
【００３８】
本発明によれば、使用実績を見て必要なときに、ローカル側機種対応データ及びセンター側機種対応データの項目のうち必要のなくなった項目を例えば削除することができる。言い換えれば、使用実績を検討しながらローカル管理装置と中央管理装置の間で遣り取りされるデータの適正化を図ることができる。
【発明の効果】
【００３９】
第１発明に係る遠隔管理システムでは、新しい機種の追加があった場合に、初期設定時に、初期設定手段からローカル管理装置にセンター側機種対応データを与えるので、中央管理装置への作業を省くことができる。新しい機種追加について、中央管理装置に対して作業しなくて済む分だけ負担を軽減できる。また、新しい機種追加についてローカル管理装置の側（初期設定手段）で一元管理できることから、ローカル管理装置と中央管理装置のデータの齟齬がないかどうかを確かめる確認作業を省くことができる。
【００４０】
第２発明に係る遠隔管理システムでは、試運転装置により、ローカル管理装置に対する新たな機種の設備機器の追加に対応でき、ローカル管理装置が設置されている現場での作業が容易になる。
【００４１】
第３発明に係る遠隔管理システムでは、新しい機種の追加があった場合に、初期設定時に、初期設定手段から中央管理装置にローカル側機種対応データを与えれば、ローカル管理装置への作業を省くことができる。新しい機種追加について、ローカル管理装置に対して作業しなくても済む分だけ負担を軽減できる。また、新しい機種追加について中央管理装置で一元管理できることから、ローカル管理装置と中央管理装置のデータの齟齬がないかどうかを確かめる確認作業を省くことができる。
【００４２】
第４発明に係る遠隔管理システムでは、機種追加された際に初期設定手段から中央管理装置へローカル側機種対応データをロードする手間を省くことができる。
【００４３】
第５発明に係る遠隔管理システムでは、機種追加に伴って、機種対応プログラムを書き換える必要がある場合に対応することができ、汎用性が向上する。また、ローカル管理装置の第１の管理情報記憶手段に記憶させておくべき機種対応プログラムを削減でき、第１の記憶情報記憶手段の記憶容量を小さくすることができる。
【００４４】
第６発明に係る遠隔管理システムでは、第１変更手段によりローカル側機種対応データとセンター側機種対応データを変更することで、ローカル管理装置と中央管理装置の間の通信量の削減や記憶容量の削減を図ることができる。
【００４５】
第７発明に係る遠隔管理システムでは、第２変更手段によりローカル側機種対応データとセンター側機種対応データを変更することで、ローカル管理装置と中央管理装置の間の通信量の削減や記憶容量の削減を行う図ることができる。
【００４６】
第８発明に係る遠隔管理システムの初期設定方法では、新しい機種追加があった場合に、第１の管理情報記憶手段のローカル側機種対応データと第２の管理情報記憶手段のセンター側機種対応データとの整合は、第３のステップで、新しい機種に必要なセンター側機種対応データをローカル管理装置から中央管理装置に送信させることにより行われる。それにより、新しい機種追加への対応はローカル管理装置側で一元的に管理でき、中央管理装置に対する作業を省き負担を軽減できる。また一元管理できることから中央管理装置とローカル管理装置のデータの齟齬がないかどうかを確かめる確認作業を省くことができる。
【００４７】
第９発明に係る遠隔管理システムの初期設定方法では、試運転装置により、試運転時に中央管理装置のセンター側機種対応データをローカル管理装置に与えるため、ローカル管理装置が設置されている現場での作業が容易になる。
【００４８】
第１０発明に係る遠隔管理システムの初期設定方法では、新しい機種の追加があった場合に、第１の管理情報記憶手段のローカル側機種対応データと第２の管理情報記憶手段のセンター側機種対応データとの整合は、第３ステップで、新しい機種に必要なローカル側機種対応データを中央管理装置からローカル管理装置に送信させることにより行われる。それにより、新しい機種追加への対応はローカル管理装置側で一元的に管理でき、中央管理装置に対する作業を省き負担を軽減できる。また一元管理できることから中央管理装置とローカル管理装置のデータの齟齬がないかどうかを確かめる確認作業を省くことができる。
【００４９】
第１１発明に係る遠隔管理システムの初期設定方法では、機種追加に伴って、機種対応プログラムを書き換える必要がある場合に対応することができ、汎用性が向上する。また、ローカル管理装置の第１の管理情報記憶手段に記憶させておくべき機種対応プログラムを削減でき、第１の記憶情報記憶手段の記憶容量を小さくすることができる。
【００５０】
第１２発明に係る遠隔管理システムの初期設定方法では、第３ステップの前にローカル側機種対応データとセンター側機種対応データを変更することで、ローカル管理装置と中央管理装置の間の通信量の削減や記憶容量の削減を行う図ることができる。
【００５１】
第１３発明に係る遠隔管理システムの初期設定方法では、ローカル側機種対応データ及びセンター側機種対応データを変更するステップにより、ローカル管理装置と中央管理装置の間の通信量の削減や記憶容量の削減を行う図ることができる。
【発明を実施するための最良の形態】
【００５２】
（１）第１実施形態
以下、第１実施形態に係る遠隔管理システムについて、図１から図６を用いて説明する。図１には、第１実施形態の遠隔管理システムの構成の概要と管理対象の空調機器を示す。図２には、発報データ処理用サーバの構成の概要を示す。図３には、ローカルコントローラの構成の概要を示す。図４には、試運転ツールの構成の概要を示す。図５には、試運転時の機種対応データの送信に関するフローチャートを示す。また、図６には、機種対応データのカスタマイズ時の画像を示す。なお、本願において、ローカル側機種対応データとは、ローカルコントローラから中央管理装置に対して、発報データを送信するために必要な取り決めに関するデータであって機種データそのものではない。例えば、多数の機種データ項目のうちのどの項目を送るとか、機種データのある項目についてデータのうち何桁をどのような形式で送るとか、どのような順番で送るなどの取り決めである。センター側機種対応データは、ローカルコントローラから送られてきた発報データを中央管理装置が受信するために必要な取り決めに関するデータである。
【００５３】
＜遠隔管理システムの構成＞
図１に示すように、遠隔管理システム１は、中央管理装置２とローカルコントローラ３ａ，３ｂ…３ｍと試運転ツール９を備える。中央管理装置２とローカルコントローラ３ａ，３ｂ…３ｍは、公衆通信回線４によって結ばれており、双方でデータ通信を行いながら管理を実施する。なお、図１において、試運転ツール９を破線で記載したのは、試運転時にのみ一時的に接続されるからである。
【００５４】
遠隔管理システム１が管理する設備機器は、第１ビル１０ａ、第２ビル１０ｂ…第ｋビル１０ｋに配置された空調機器５ａ、５ｂ…５ｎである。空調機器５ａ、５ｂ…５ｎには、ビルマルチ式空調機器やコンビニエンスストア向け冷凍・冷蔵・空調機器など多種多様のものがある。空調機器５ａは、ビルマルチ式空調機器であって、１台の室外機６ａに複数の室内機７ａ，７ｂ…が冷媒配管（図示省略）及び通信線８ａで接続されている。また、空調機器５ｂ，５ｃも、ビルマルチ式空調機器であって、それぞれ、１台の室外機６ｂ，６ｃに複数の室内機７ｇ，７ｈ…，７ｐ，７ｑ…が接続されている。
【００５５】
第１ビル１０ａにおいては、２系統の空調機器５ａ，５ｂを１台のローカルコントローラ３ａで管理している。第２ビル１０ｂでは、１系統の空調機器５ｃを１台のローカルコントローラ３ｂが管理している。このように、ローカルコントローラ３ａ，３ｂが管理する空調機器５ａ，５ｂ，５ｃは、系統の数が異なることもあり、また、室外機６ａ，６ｂ，６ｃの種類や台数、室内機７ａ，７ｂ…７ｇ，７ｈ…７ｐ，７ｑ…の種類や台数などが様々である。
【００５６】
ローカルコントローラ３ａ，３ｂ，３ｃ…３ｍは、空調機器５ａ，５ｂ，５ｃ…５ｎを管理するため、室外機６ａ，６ｂ，６ｃ…や室内機７ａ，７ｂ…，７ｇ，７ｈ，…，７ｐ，７ｑ…の運転状態や環境などの管理に関連のある種々の情報を通信線８ａ，８ｂ，８ｃ…を通じて収集する。このように、１台のローカルコントローラ３ａ，３ｂ…３ｍが管理する空調機器５ａ、５ｂ…５ｎは多種多様であり、そのため、ローカルコントローラ３ａ，３ｂ…３ｍや中央管理装置２が扱うデータもバラエティーに富んでいる。管理関連の情報としては、例えば、室外機６ａ，６ｂ，６ｃ…の運転状態、冷媒の圧力、吐出管の温度、外気温、各部の電流値、及び電力量などや室内機７ａ，７ｂ…，７ｇ，７ｈ，…，７ｐ，７ｑ…の運転状態、室内の温度、吐出空気の温度、及び電流値などがある。どのような項目を測定でき或いは取得が可能であるかは、機種によって異なっており、構成関連の情報や管理関連の情報を合わせて、機種データとして、ローカルコントローラ３ａ，３ｂ，３ｃ…３ｍに記憶される。このように、ローカルコントローラ３ａ，３ｂ…３ｍや中央管理装置２が扱うデータの項目は非常に多くなる。
【００５７】
次に試運転時の構成について説明する。例えば、ローカルコントローラ３ａの室外機６ａが故障したため室外機６ａを古い機種から新しい機種へ入れ替えたものとすると、空調機器５ａやローカルコントローラ３ａや中央管理装置２の設定を行うために、試運転が必要になる。そのような試運転をする場合に、試運転に必要な情報を与えたり制御したりするために試運転ツール９がローカルコントローラ３ａに接続される。試運転ツール９は試運転時に必要とされるだけであり、試運転が終われば取り外される。このように、故障による空調機器５ａ，５ｂ，５ｃ…５ｎの構成機器の入れ替えばかりでなく、室外機や室内機を新たに増やしたり、または減らしたりするなど変更があれば通常試運転が必要になる。
【００５８】
＜空調機器監視システムの構成要素＞
（中央管理装置）
中央管理装置２は、ＤＮＳ（Domain Name System）サーバ１１、発報データ処理用サーバ１２、データベースサーバ１３、ウェブサーバ１４、表示装置１５及入力装置１６を備えている。ＤＮＳサーバ１１は、中央管理装置２とローカルコントローラ３ａ，３ｂ…３ｍとの送受信における発信元と発信先を特定して、公衆通信回線４を介した中央管理装置２とローカルコントローラ３ａ，３ｂ…３ｍとの間の通信を成り立たせる。発報データ処理用サーバ１２は、ローカルコントローラ３ａ，３ｂ…３ｍから送られてくる発報データを処理するためのサーバである。データベースサーバ１３は、発報データ処理用サーバ１２が処理した発報データに関する情報を記憶するサーバである。データベースサーバ１３は、管理を行うために必要な情報も記憶している。ウェブサーバ１４は、発報データ処理用サーバ１２で処理されたデータやデータベースサーバ１３に格納されている情報を表示画面１５に画像として表示し、また入力装置１６から入力された指示などを各サーバ１１，１２，１３に伝達する。
【００５９】
発報データ処理用サーバ１２で処理する発報データの種類としては、主に、日々の監視を行うための日報発報、異常時の通報やデータ収集のための異常発報、及び試運転時の発報などがある。これらの発報データは、ローカルコントローラ３ａ，３ｂ，３ｃ…３ｍが収集した機種データのうち必要な項目や複数時刻のデータをまとめたり加工したりしたものである。
【００６０】
例えば、ローカルコントローラ３ａが公衆通信回線４を介して日報発報の発報データを送信した場合、ＤＮＳサーバ１１により送信先の発報データ処理用サーバ１２が特定され、発報データ処理用サーバ１２で発報データが受信される。発報データを受信した発報データ処理用サーバ１２は、必要な応答をローカルコントローラ３ａに返すとともに、発報データの処理を始める。公衆通信回線４を介してデータの送受信を行っているため、送受信終了後は、発報データ処理用サーバ１２がローカルコントローラ３ａを特定して通信できなくなることから、ローカルコントローラ３ａから発報データが送られてきたときにローカルコントローラ３ａに対して必要な情報を与える必要がある。
【００６１】
（発報データ処理用サーバ）
図２は、発報データ処理用サーバ１２の構成の概要を示すブロック図である。発報データ処理用サーバ１２は、中央処理部２１と、メインメモリ２２と、ハードディスク２３と、クロック２４と、入出力制御部２５と、バス２６と、接続ポート２７とを備える。中央処理部２１、メインメモリ２２、ハードディスク２３、クロック２４及び入出力制御部２５は、バス２６により接続されており、データや制御信号がバス２６を通じて相互に伝送される。入出力制御部２５には接続ポート２７が接続され、ローカルコントローラ３ａ，３ｂ…３ｍとの通信やデータベースサーバ１３やウェブサーバ１４などとのデータの伝送は接続ポート２７を介して行われる。発報データ処理用サーバ１２の外部との間でデータやプログラムなどを入出力する場合には、中央処理部２１の指令に従って入出力制御部２５の制御のもとで接続ポート２７を通じて行われる。発報データ処理用サーバ１２の動作の基準となる時間はクロック２４で生成される。
【００６２】
中央処理部２１は、ハードディスク２３に格納されているプログラムに従ってメインメモリ２２にデータの書き込みや読み出しを行いながら処理を進める。ハードディスク２３には、基本的に発報データ処理用サーバ１２を動作させるためのオペレーティングシステム２３ａやデバイスドライバ２３ｂに加えて、発報データを処理するためのプログラムである空調監視アプリケーション２３ｃが記憶されている。空調監視アプリケーション２３ｃは、ローカルコントローラ３ａ，３ｂ，３ｃなどから発報データ処理サーバ１２に送信されてくる空調機器５ａ，５ｂ，５ｃの発報データを記憶したり処理したりするための方法が記述されているプログラムである。なお、空調監視アプリケーション２３ｃには機種対応データ変更アプリケーション２３ｅが設けられているが、機種対応データ変更アプリケーション２３ｆを用いた操作については後述する。また、ハードディスク２３には、データ処理の対象となる発報データが発報データファイル２３ｄとして保存されており、中央処理部２１は、データ処理のために、ディスク２３に保存されている発報データファイル２３ｄを参照する。そして、発報データ処理用サーバ１２で処理された発報データは、データベースサーバ１３の監視情報データベース１３ａに格納される。
【００６３】
発報データの発報データファイル２３ｄへの格納は、先に説明したように、中央処理部２１の指令に応じて接続ポート２７を通じて行われるが、そのためにローカルコントローラ３と発報データ処理用サーバ２との間で、送受信に必要な取り決めがなされている。この取り決めは、例えばどの機種であればどのような項目がどのような形態で送信されるかといったものであり、センター側機種対応データ１３ｂとして、データベースサーバ１３に格納されている。
【００６４】
（ローカルコントローラ）
図３に示すように、ローカルコントローラ３は、中央処理部３０、記憶部３１、操作部３２、クロック３３、入出力制御部３４、バス３５、公衆通信回線用ポート３６、空調機器用ポート３７、及び試運転ツール用ポート３８を備えて構成されている。このローカルコントローラ３が備える構成要素は、ローカルコントローラ３ａ，３ｂ…３ｍに共通するものである。
【００６５】
中央処理部３０と記憶部３１と操作部３２とクロック３３と入出力制御部３４は、バス３５によって相互に接続され１つの集積回路を構成しており、互いにデータや制御信号の遣り取りが行える。また、中央管理装置２や空調機器５ａ，５ｂ，５ｃ…５ｎや試運転ツール９とローカルコントローラ３とは、公衆通信回線用ポート３６、空調機器用ポート３７及び試運転ツール用ポート３８を介して接続される。これら、公衆通信回線用ポート３６、空調機器用ポート３７及び試運転ツール用ポート３８は、入出力制御装置２３に接続されており、入出力制御装置２３によって制御される。クロック３３は、発報データを送信するためなどに必要な時刻などの基準となる時間を生成し、中央処理部３０はクロック３３が生成する時間を基準に動作する。
【００６６】
記憶部３１は、その構成の中にＲＡＭ（Random Access Memory）やＲＯＭ（Read Only Memory）や電気的に書換え可能なＥＥＰＲＯＭ（Electrically Erasable and Programmable Read Only Memory）を備えており、監視制御プログラムであるファームウェア３１ａや各種データを格納している。中央処理部３０は、ファームウェア３１ａに従って動作し、ファームウェア３１ａで用いる監視制御に関するデータを記億部３１から読み込み、記憶部３１及び入出力制御部３４に指令を出す。監視制御に関するデータの中に、中央管理装置２との発報データの送受信のために必要なローカル側機種対応データ３１ｂが含まれるが、このローカル側機種対応データ３１ｂは記憶部３１に記憶されている。このように、中央処理部３０は、自己が保持しているデータ以外に、記憶部３１から必要なデータを取得して演算処理を行う。また、この中央処理部３０は、演算処理の処理結果データを記憶部３１に書き込む。例えば、記憶部３１には、空調機器５ａ，５ｂ，５ｃ…５ｎから送信されてきたままの機種データ３１ｃや中央処理部３０で処理された日報データ３１ｄなどが書換可能に記憶される。このような機種データ３１ｃなどのデータを、記憶部３１は、入出力制御部３４の制御により外部から取得して記憶し、中央処理部３０からの命令に応じて記憶している機種データ３１ｃや日報データ３１ｄを入出力制御部３４の制御により外部へ出力する。
【００６７】
入出力制御部３４は、公衆通信回線用ポート３６に着信するデータや空調機器５ａ，５ｂ，５ｃ…５ｎから空調機器用ポート３７に送信されてくるデータや試運転ツール用ポート３８に送信されてくるデータ等を、中央処理部３０や記憶部３１に出力するよう制御される。また、入出力制御部３４は、記憶部３１に記憶されている各種データや中央処理部３０の制御信号などを中央管理装置２や空調機器５ａ，５ｂ，５ｃ…５ｎや試運転ツール９に送信するため公衆通信回線用ポート３６や空調機器用ポート３７や試運転ツール用ポート３８から出力するよう制御する。
【００６８】
公衆通信回線用ポート３６は、公衆通信回線４からデータを受信し、受信したデータを中央処理部３０が処理できるように入出力制御部３４に出力する一方、記憶部３１から公衆通信回線４に対して出力されるデータや制御信号などの送信を公衆通信回線４に対して行う。空調機器用ポート３７には、空調機器５ａ，５ｂ，５ｃ…５ｎの室外機６ａ，６ｂ，６ｃ…が接続される。空調機器用ポート３７は、空調機器５ａ，５ｂ，５ｃ…５ｎから送信されてくるデータ等を受信し、受信したデータ等を中央処理部３０が処理できるように出力する一方、空調機器５ａ，５ｂ，５ｃ…５ｎに出力されるデータ等を空調機器５ａ，５ｂ，５ｃ…５ｎに対して送信する。試運転ツール用ポート３８は試運転時に試運転ツール９と接続するためのポートである。
【００６９】
例えば、公衆通信回線用ポート３６からは、記憶部３１に記憶されているローカル側機種対応データに基づく中央処理部３０からの指令を受けて、記憶部３１に格納される日報データ３１ｄが、所定時間毎に公衆通信回線４を介して日報発報の発報データとして、中央管理装置２に送信される。通常、ローカルコントローラ３ａ，３ｂ…３ｍは１日１回程度の頻度で日報発報のデータを送信するが、空調機器の種類や構成によって頻度やデータの内容や容量が異なる。中央管理装置２が管理するローカルコントローラ３ａ，３ｂ…３ｍの数は数千に及ぶため、一日に受信する日報発報のデータの回数も膨大なものとなる。また、中央処理部３０において空調機器５ａ，５ｂ，５ｃ…５ｎに異常が発生したと判定された場合、中央処理部３０の指示に従って異常識別コード、空調機器５ａ，５ｂ，５ｃ…５ｎの機種番号や機種名などのデータ、及びビル１０ａ，１０ｂ…１０ｋを特定するための顧客識別データなどを即座に公衆通信回線４を介して中央管理装置２に公衆通信回線用ポート３６が送信する。その外、試運転時に、ローカルコントローラ３ａ，３ｂ…３ｍの試運転に関するデータが公衆通信回線用ポート３６から送信される。ローカルコントローラ３ａ，３ｂ…３ｍにおいて、操作部３２を使って、空調機器５ａ，５ｂ，５ｃ，５ｄを監視するための種々の設定を行うことができる。
【００７０】
（試運転ツール）
試運転ツール９は、空調機器５ａ，５ｂ，５ｃ…５ｎの室内機７ａ，７ｂ，…７ｇ，７ｈ，…７ｐ，７ｑ…が適切に設置されるかを確認するためのソフトウェアがインストールされる携帯可能なパーソナルコンピュータ等である。試運転ツール９は、空調機器５ａ，５ｂ，５ｃ…５ｎの遠隔管理を行う際に、空調機器５ａ，５ｂ，５ｃ…５ｎやローカルコントローラ３ａ，３ｂ…３ｍのメーカーや保守サービス業者の担当者などが、管理対象である空調機器５ａ，５ｂ，５ｃ…５ｎの設置情報を把握するために用いられる。空調機器５ａ，５ｂ，５ｃ…５ｎの設置情報としては、具体的には、空調機器５ａ，５ｂ，５ｃ…５ｎを管理するために各空調機器５ａ，５ｂ，５ｃ…５ｎに割り振られるアドレス・空調機器５ａ，５ｂ，５ｃ…５ｎの属する冷媒系統名・室内機７ａ，７ｂ，…７ｇ，７ｈ，…７ｐ，７ｑ…および室外機６ａ，６ｂ，６ｃ…の設置日付・機種名・機種コード・機番などがある。これらの設置情報は、機種データの中に含まれる。
【００７１】
この試運転ツール９は、入力装置４１と、記憶装置４２と、試運転処理部４３と、インターフェース４４と、表示装置４５とを備える。入力装置４１は、担当者が試運転ツール９を操作するための情報を入力する部品であり、例えば、キーボードやマウスなどである。記憶装置４２は、試運転ツール９を動作させるオペレーティングシステム４２ａやデバイスドライバ４２ｂを記憶している。また、試運転を行うために、試運転用アプリケーション４２ｃを記憶装置４２が記憶している。試運転用アプリケーション４２ｃには、機種データ所得アプリケーション４ｄ、機種対応設定アプリケーション４２ｅ,機種対応データ変更アプリケーション４２ｆが含まれる。また、試運転のために、センター側機種対応デー４２ｇとセンター側機種対応データ４２ｈを記憶装置４２が記憶している。試運転処理部４３は、入力装置４１、記憶装置４２、インターフェース４４及び表示装置４５に接続され、これらの装置をオペレーティングシステム４２ａやデバイスドライバ４２ｂや試運転用アプリケーション４２ｃを用いて制御して試運転のための処理を実行する。インターフェース４４は、ローカルコントローラ３ａ，３ｂ…３ｍの試運転ツール用ポート３８に接続され、ローカルコントローラ３ａ，３ｂ…３ｍと試運転ツール９との通信を行う。表示装置４５は、例えば、パソコンのディスプレイなどであり、入力装置４１から入力した情報や作業を選択するための画像や試運転の状況などが表示される。
【００７２】
＜遠隔管理システムの試運転時の動作＞
図１に示す空調機器５ａ，５ｂ，５ｃ…５ｎのうち、第１ビル１０ａの空調機器５ａの室外機６ａを新しい機種に更新する場合について説明する。以下の試運転の説明においては、新しい機種の追加によって必要となる動作に絞って図５のフローチャートを用いて説明を行う。工事により、室外機６ａを新しくする際、試運転ツール９のインターフェース４４をローカルコントローラ３ａの試運転ツール用ポート３８に接続して試運転を行う。試運転ツール９による試運転では、機種データ取得アプリケーション４２ｄを起動して、ローカルコントローラ３ａから空調機器５ａの機種データを取得することにより、空調機器５ａを構成している室外機６ａや室内機７ａ，７ｂ…などの機種名や機種コードを取得する。それにより、新しい機種である室外機６ａが追加されたことを試運転ツール９が認識する（ステップＳ１）。
【００７３】
室外機６ａが新しい機種であるため、室外機６ａに対応するデータが中央管理装置２の方で不足しており、このままでは中央管理装置２が新機種の室外機６ａに対応する発報データの処理ができなくなる。そこで、試運転ツール９の試運転処理部４３は、記憶装置４２に記憶している種々のセンター側機種対応データ４２ｇ及びローカル側機種対応データ４２ｈの中から新機種の室外機６ａに合うセンター側機種対応データ及びローカル側機種対応データを取得する（ステップＳ２）。
【００７４】
試運転ツール９の試運転処理部４３は、機種対応設定アプリケーション４２ｅを起動し、取得したセンター側機種対応データ及びローカル側機種対応データを、インターフェース４４からローカルコントローラ３ａの試運転ツール用ポート３８に出力する（ステップＳ３）。このとき同時に、センター側機種対応データをローカルコントローラ３ａが中央処理装置２に送信するように指示を与える。ローカルコントローラ３ａは、試運転ツール用ポート３８で受信したローカル側機種対応データを、入出力制御部３４の制御のもと中央処理部３０の指令に従い記憶部３１のローカル側機種対応データ３１ｂに格納する。また、ローカルコントローラ３ａは、受信したセンター側機種対応データを、入出力制御部３４の制御のもと中央処理部３０の指示に従い記憶部３１のセンター側機種対応データ記憶領域３１に一時的に記憶する。
【００７５】
試運転時の発報の際、センター側機種対応データを発報データの中に含めてローカルコントローラ３ａが中央管理装置２に送信する（ステップＳ４）。この動作をもう少し詳しく説明すると、まず、ローカルコントローラ３ａは、センター側機種対応データを、入出力制御部３４の制御のもと中央処理部３０の指令に従い、記憶部３１のセンター側機種対応データ記憶領域３１ｃから公衆通信回線用ポート３６を通じて公衆通信回線４に出力する。送信された発報データは、公衆通信回線４を経てＤＮＳサーバ１１で行き先である発報データ処理用サーバ１２のＩＰアドレスが付与され、発報データ処理用サーバ１２の接続ポート２７で受信される。接続ポート２７で受信された発報データは、発報データ処理用サーバ１２の入出力制御部２５の制御のもと中央処理部２１の指令により、ハードディスク２３の発報データファイル２３ｄに保存される。中央処理部２１は、発報データファイル２３ｄに保存された発報データを処理し、例えばメインメモリ２２にセンター側機種対応データを抽出して蓄積し、入出力制御部２５が接続ポート２７からデータベースサーバ１３に出力する。データベースサーバ１３では、送信されてきた新たな機種である室外機６ａのセンター側機種対応データを、センター側機種対応データ１３ｂとして記憶する（ステップＳ５）。
【００７６】
次回の発報時刻には、ローカルコントローラ３ａは、新しい機種の室外機６ａについては、新たに記憶されたコントロール側機種発報データを用いて発報し、発報データを送信する。一方、中央管理装置２は、データベースサーバ１３に新たに記憶されたセンター側機種対応データを用いて受信し、発報データ処理用サーバ１２はこのセンター側機種対応データを用いて発報データの処理を行う(ステップＳ６)。
【００７７】
なお、上述の説明では、ローカルコントローラ３ａにおいてローカル側機種対応データを変更することにより、新機種に対応する場合について説明したが、ステップＳ３において、新機種に対応してファームウェア３１ａに新たに新機種対応のファームウェアを組み込むよう構成することもできる。その場合には、試運転ツール９の記憶装置４２にファームウェアを格納しておき、機種対応設定アプリケーション４２ｅにファームウェアを組み込む機能を持たせておく。
【００７８】
また、上述の説明では、試運転ツール９からローカル側機種対応データをローカルコントローラ３ａに送信する場合について説明したが、従来と同様にローカルコントローラ３ａには予め必要となる全てのローカル側機種対応データ及びファームデータを持たせておき、試運転ツール９からはセンター側機種対応データのみをローカルコントローラ３ａに送信するようにしてもよい。
【００７９】
＜機種対応データのカスタマイズ＞
機種対応データのカスタマイズについて図６を用いて説明する。図６には、室外機６ａの機種コード００１の機種データ項目の一覧表を表示した画像を示す。機種対応データのカスタマイズ、即ち機種対応データの変更を行うための機種対応データ変更アプリケーション２３ｅ，４２ｆは、それぞれ、発報データ処理用サーバ１２と試運転ツール９にある。そのため、機種対応データのカスタマイズは、発報データ処理用サーバ１２または試運転ツール９を用いて行える。
【００８０】
まず、試運転ツール９を用いて機種対応データの変更を行う場合には、試運転ツール９の試運転処理部４３に機種対応データ変更アプリケーション４２ｆを起動させ、図６の画像を表示装置４５に表示させる。例えば、「高圧最大値」が機種データの中にあるが、この項目が不要である場合、入力装置４１を用いて、表示装置４５上のカーソルを移動し、「高圧最大値」の欄の編集ボタンをクリックする。その後、選択の行のチェックボックスにカーソルを移動してチェックボックスのチェックを消す。さらに、編集ボタンをクリックして、変更を確定する。そうすると、機種対応データ変更アプリケーション４２ｆにより、記憶装置４２に記憶されているセンター側機種対応データ４２ｇ及びローカル側機種対応データ４２ｈが変更され、機種コード００１のセンター側機種対応データ及びローカル側機種対応データは「高圧最大値」の送受信を行わない設定になる。この変更は、ローカルコントローラ３ａに機種コード００１のセンター側機種対応データ及びローカル側機種対応データを送信するステップＳ３（図５参照）の前に行う必要がある。このようにカスタマイズされたセンター側機種対応データ及びローカル側機種対応データをローカルコントローラ３ａに試運転ツール９から送信することで、中央管理装置２とローカルコントローラ３ａとの間でセンター側機種対応データ及びローカル側機種対応データの整合を取りつつ機種対応データのカスタマイズを行うことができる。
【００８１】
なお、デマンド、省エネルギー制御、報告書の作成などで必須の項目については、選択変更ができないように、例えばチェックボックスを非表示とするとかクリックしてもチェックが消えないようにする。
【００８２】
また、上記の説明では、同一機種についての管理になっているが、管理がやや複雑になるが物件単位での管理も可能である。同一機種についての管理では、同一機種は機種対応データを同じ構成にする。もし、室外機６ｂも室外機６ａと同じであれば同じ機種対応データで管理される。
【００８３】
また、このとき、試運転ツール９により、ローカルコントローラ３ａのファームウェア３１ａを変更して、ローカルコントローラ３ａと空調機器５ａとの間で、「高圧最大値」の項目を遣り取りしないようにしてもよい。そうすることで、ローカルコントローラ３ａと空調機器５ａとの間で行われる通信のデータ量を減らすことができる。
【００８４】
次に、発報データ処理用サーバ１２を用いて機種対応データの変更を行う場合について説明する。この場合には、発報データ処理用サーバ１２のハードディスク２３に記憶されている機種対応データ変更アプリケーション２３ｅを起動させ、図６の画像を表示装置１５に表示させる。そして、上述の場合と同様に、例えば、「高圧最大値」が機種データの中にあるが、この項目が不要である場合、入力装置１６を用いて、表示装置１５上のカーソルを移動し、「高圧最大値」の欄の編集ボタンをクリックする。その後上述の場合と同様に変更を確定すると、機種対応データ変更アプリケーション２３ｅに従って中央処理部２１が指令を出し、データベースサーバ１３のセンター側機種対応データ１３ｂのうち機種コード００１のセンター側機種対応データを書き換える。ただし、書き換えるタイミングは、次回のローカルコントローラ３ａから発報データが送られてきた後である。ローカルコントローラ３ａから発報データが送られてくるとその返信で、発報データ処理用サーバ１２の中央処理部２１は、ローカルコントローラ３ａに対して、記憶部３１に記憶されているローカル側機種対応データ３１ｂのうち機種コード００１のセンター側機種対応データを書き換えるよう指示する。指示を受けたローカルコントローラ３ａは、中央処理部３０により記億部３１のローカル側機種対応データ３１ｂを書き換える。それにより、中央管理装置２とローカルコントローラ３ａとの間でセンター側機種対応データ及びローカル側機種対応データの整合を取りつつ機種対応データのカスタマイズを行うことができる。
【００８５】
（２）第２実施形態
以下、第２実施形態に係る遠隔管理システムについて、図７から図１０を用いて説明する。図７には、第２実施形態の遠隔管理システムの構成の概要と管理対象の空調機器を示す。図８には、発報データ処理用サーバの構成の概要を示す。図９には、ローカルコントローラの構成の概要を示す。図１０には、試運転時の機種対応データの送信に関するフローチャートを示す。
【００８６】
＜遠隔管理システムの構成＞
第２実施形態における遠隔管理システム１は、図７に示すように、中央管理装置２とローカルコントローラ３ａ，３ｂ…３ｍと試運転ツール９を備え、第１実施形態と同じ構成である。以下、第２実施形態の遠隔管理システム１が、第１実施形態の遠隔管理システム１と異なる部分について説明する。
【００８７】
第１実施形態の説明と同様に、ローカルコントローラ３ａの室外機６ａが故障したため室外機６ａを古い機種から新しい機種へ入れ替えたものとする。このとき、試運転ツール９がローカルコントローラ３ａに接続されるが、試運転ツール９は通常の試運転の機能を発揮するだけで、第２実施形態においては、機種対応データの送信は行わない。
【００８８】
＜空調機器監視システムの構成要素＞
（中央管理装置）
第２実施形態の中央管理装置２は、図７に示すように、データベースサーバ１３の記憶している情報の内容が、図１に示す第１実施形態の中央管理装置２と異なる。異なるのは、図７に示すデータベースサーバ１３が、ローカルコントローラ３ａ，３ｂ…３ｍに組み込まれるファームウェア１３ｃとローカル側機種対応データ１３ｄとを記憶している点である。
【００８９】
（発報データ処理用サーバ）
図８は、第２実施形態の発報データ処理用サーバ１２の構成の概要を示すブロック図である。中央処理部２１と、メインメモリ２２と、ハードディスク２３と、クロック２４と、入出力制御部２５と、バス２６と、接続ポート２７とを備える点は、第２実施形態の発報データ処理用サーバ１２も第１実施形態のものと同様である。異なるのは、ハードディスク２３に記憶されている情報である。
【００９０】
第２実施形態のハードディスク２３に記憶されている内容のうち、オペレーティングシステム２３ａとデバイスドライバ２３ｂと発報データファイル２３ｄは、第１実施形態と同様である。異なるのは、空調監視アプリケーション２３ｃに含まれるファームデータ設定アプリケーション２３ｈである。ファームデータ設定アプリケーション２３ｈは、データベースサーバ１３のファームウェア１３ｃ及びローカル側機種対応データ１３ｄから新機種に対応するファームウェアとローカル側機種対応データをローカルコントローラ３ａ，３ｂ…３ｍに組み込むためのアプリケーションである。なお、図８と図２を比較すると、図８には、機種データ取得アプリケーション２３ｇが加えられているが、機種データ取得アプリケーション２３ｇは、発報データがファイルされている発報データファイル２３ｄから新しい機種の機種データを取得するためのアプリケーションであって、第１実施形態及び従来においても空調監視アプリケーション２３ｃが有していたものである。特に説明の必要がなかったため、図２においては記載を省略していたものである。
【００９１】
（ローカルコントローラ）
図９は、第２実施形態のローカルコントローラ３の構成の概要を示すブロック図である。中央処理部３０、記憶部３１、操作部３２、クロック３３、入出力制御部３４、バス３５、公衆通信回線用ポート３６、空調機器用ポート３７、及び試運転ツール用ポート３８を備える点は、第２実施形態のローカルコントローラ３も第１実施形態のものと同様である。異なるのは、記憶部３１に記憶されている情報である。
【００９２】
第２実施形態の記憶部３１に記憶されている内容のうち、ファームウェア３１ａとローカル側機種対応データ３１ｂと機種データ３１ｃと日報データ３１ｄは、第１実施形態と同様である。異なるのは、ファームウェア組み込みアプリケーション３１ｆである。ファームウェア組み込みアプリケーション３１ｆは、発報データ処理用サーバ１２から送信されてくる新機種に係るファームウェアを組み込むためのアプリケーションである。
【００９３】
＜遠隔管理システムの試運転時の動作＞
図７に示す空調機器５ａ，５ｂ，５ｃ…５ｎのうち、第１ビル１０ａの空調機器５ａの室外機６ａを新しい機種に更新する場合について説明する。以下の試運転の説明においては、新しい機種の追加によって必要となる動作に絞って図１０のフローチャートを用いて説明する。工事により、室外機６ａを新しくする際、試運転ツール９のインターフェース４４をローカルコントローラ３ａの試運転ツール用ポート３８に接続して試運転を行う。
【００９４】
試運転において、ローカルコントローラ３ａは、ファームウェア３１ａの機能を用いて、空調機器用ポート３７から空調機器５ａの機種データを取得する。ローカルコントローラ３ａは、取得した機種データを試運転時の発報データに含めて中央管理装置２に送信する。中央管理装置２の発報データ処理用サーバ１２は、機種データ取得アプリケーション２３ｇにより、ローカルコントローラ３ａから送られてきた試運転時の発報データの中から機種データを取得する(ステップＳ１１)。機種データの取得により、空調機器５ａを構成している室外機６ａや室内機７ａ，７ｂ…などの機種名や機種コードが取得され、発報データ処理用サーバ１２は室外機６ａが新機種であることを認識する。
【００９５】
発報データ処理用サーバ１２は、ファームデータ設定アプリケーション２３ｈにより、新機種の室外機６ａに対応するファームウェアとローカル側機種対応データを、データベースサーバ１３に記憶されているファームウェア１３ｃとローカル側機種対応データ１３ｄから取得する。そして、試運転時の発報データに対する返信として、新機種の室外機６ａに対応するファームウェアとローカル側機種対応データをローカルコントローラ３ａに、発報データ処理用サーバ１２が、入出力制御部２５に制御された接続ポート２６から送信する(ステップＳ１２)。
【００９６】
ローカルコントローラ３ａは、公衆通信回線４を介して公衆通信回線用ポート３６で、新機種の室外機６ａに対応するファームウェアとローカル側機種対応データを受信する。受信したファームウェアとローカル側機種対応データをローカルコントローラ３ａがファームウェア組み込みアプリケーション３１ｆを起動させて記憶部３１のファームウェア３１ａに組み込む(ステップＳ１３)。
【００９７】
次回の発報時刻はクロック３３の時刻で判断され、ローカルコントローラ３ａは、新しい機種の室外機６ａについては、新たに記憶されたファームウェアとコントロール側機種発報データを用いて発報し、発報データを送信する。一方、中央管理装置２は、データベースサーバ１３に記憶されているセンター側機種対応データから新機種に対応するセンター側機種対応データを用いて発報データを受信し、発報データ処理用サーバ１２は、新機種に対応したセンター側機種対応データを用いて発報データの処理を行う。
【００９８】
＜機種対応データのカスタマイズ＞
機種対応データのカスタマイズについて図６を用いて説明する。図６には、室外機６ａの機種コード００１の機種データ項目の一覧表を表示した画面を示す。機種対応データのカスタマイズ、即ち機種対応データの変更を行うための機種対応データ変更アプリケーション２３ｅは、発報データ処理用サーバ１２にある。この機種対応データ変更アプリケーション２３ｅが行う機種対応データの変更のうち、発報データがきた際に逐次行う機種データの変更は第１実施形態で説明した機種対応データ変更アプリケーション２３ｅと同じであるため説明を省略する。
【００９９】
第２実施形態の機種対応データ変更アプリケーション２３ｅは、図１０のステップＳ１２の前に機種対応データの変更を行うことができる。変更を行うのは、データベースサーバ１３のセンター側機種対応データ１３ｂとローカル側機種対応データ１３ｄに対してである。
【０１００】
まず、発報データ処理用サーバ１２を用いて機種対応データの変更を行う場合には、発報データ処理用サーバ１２のハードディスク２３に記憶されている機種対応データ変更アプリケーション２３ｅを起動させ、図６の画像を表示装置１５に表示させる。例えば、「高圧最大値」が機種データの中にあるが、この項目が不要である場合、入力装置１６を用いて、表示装置１５上のカーソルを移動し、「高圧最大値」の欄の編集ボタンをクリックする。その後、選択の行のチェックボックスにカーソルを移動してチェックボックスのチェックを消す。
【０１０１】
機種対応データ変更アプリケーション２３ｅにより、データベースサーバ１３に記憶されているセンター側機種対応データ１３ｂ及びローカル側機種対応データ１３ｄが変更され、機種コード００１のセンター側機種対応データ及びローカル側機種対応データは「高圧最大値」の送受信を行わない設定になる。この変更は、ローカルコントローラ３ａに機種コード００１のローカル側機種対応データを送信するステップＳ１３（図１０参照）の前に行う必要がある。このようにカスタマイズされたセンター側機種対応データ及びローカル側機種対応データをローカルコントローラ３ａに発報データ処理用サーバ１２から送信することで、中央管理装置２とローカルコントローラ３ａとの間でセンター側機種対応データ及びローカル側機種対応データの整合を取りつつ機種対応データのカスタマイズを行うことができる。
【０１０２】
なお、このとき、発報データ処理用サーバ１２により、ローカルコントローラ３ａのファームウェア３１ａを変更して、ローカルコントローラ３ａと空調機器５ａとの間で、「高圧最大値」の項目を遣り取りしないようにしてもよい。そうすることで、ローカルコントローラ３ａと空調機器５ａとの間で行われる通信のデータ量を減らすことができる。
【０１０３】
＜特徴＞
（１）
図１に示す遠隔管理システム１においては、例えば更新工事により新しい機種の空調機器５ａ，５ｂ，５ｃ…５ｎが追加されても、更新工事後の初期設定時に、試運転ツール９の機種データ取得アプリケーション４２により試運転ツール９は新しい追加機種について機種データが得られる（第１のステップ）。それにより、試運転ツール９では、新しい機種追加のあったローカルコントローラ３ａ，３ｂ…３ｍと新しい機種とについて認識することができる。そこで試運転ツール９は、新しい機種の空調機器５ａ，５ｂ，５ｃ…５ｎが追加されたローカルコントローラ３ａ，３ｂ…３ｍに対して、新機種の追加された空調機器５ａ，５ｂ，５ｃ…５ｎの新しい機種に適合するセンター側機種対応データを、記憶装置４２のセンター側機種対応データ４２ｇから取得して与える（第２のステップ）。新しい機種の追加のあったローカルコントローラ３ａ，３ｂ…３ｍから中央管理装置２のデータベースサーバ１３に、その新しい機種に適合するセンター側機種対応データを送って記憶させる。それにより、ローカルコントローラ３の記憶部３１のローカル側機種対応データとデータベースサーバ１３のセンター側機種対応データとの整合を取る(ステップＳ３)。
【０１０４】
図１に示す遠隔管理システム１では、新しい機種の追加があった場合、初期設定時に、試運転ツール９からローカルコントローラ３ａ，３ｂ…３ｍにセンター側機種対応データを与えるので、中央管理装置２への作業を省くことができる。新しい機種追加について、中央管理装置２に対して作業しなくて済む分だけ負担を軽減できる。また、新しい機種追加についてローカルコントローラ３ａ，３ｂ…３ｍ側（試運転ツール９）で一元管理できることから、ローカルコントローラ３ａ，３ｂ…３ｍと中央管理装置２のデータの齟齬がないかどうかを確かめる確認作業を省くことができる。
【０１０５】
（２）
図１に示す遠隔管理システム１によれば、新しい機種の追加されたローカルコントローラ３ａ，３ｂ…３ｍの試運転を行う場所において、新しい機種に対応するために中央管理装置２が必要とするセンター側機種対応データを、試運転ツール９によってローカルコントローラ３ａ，３ｂ…３ｍに与えることができる。図１の遠隔管理システム１では、試運転ツール９により、ローカルコントローラ３ａ，３ｂ…３ｍに対する新たな機種の追加があった空調機器５ａ，５ｂ，５ｃ…５ｎに対応でき、ローカルコントローラ３ａ，３ｂ…３ｍが設置されている現場での作業が容易になる。
【０１０６】
（３）
図７に示す遠隔管理システム１においては、例えば更新工事により新機種の機器が追加され空調機器５ａ，５ｂ，５ｃ…５ｎが変更されても、更新工事後の初期設定時に、新機種が追加された空調機器５ａ，５ｂ，５ｃ…５ｎに接続されたローカルコントローラ３ａ，３ｂ…３ｍから、発報データ処理用サーバ１２において、機種データ取得アプリケーション２３ｇにより機種データを取得してファームデータ設定アプリケーション２３ｈに与える（第１ステップ）。それにより、ファームデータ設定アプリケーション２３ｈを起動した発報データ処理用サーバ１２では、新機種追加のあったローカルコントローラ３ａ，３ｂ…３ｍと新機種とを認識することができる。そこでファームデータ設定アプリケーション２３ｈにより発報データ処理用サーバ１２は、追加された新機種のある空調機器５ａ，５ｂ，５ｃ…５ｎについて、ローカル側機種対応データをデータベースサーバ１３のローカル側機種対応データ１３ｄから取得する（ステップＳ２）。その新機種の追加のあったローカルコントローラ３ａ，３ｂ…３ｍにローカル側機種対応データを送って、ローカルコントローラ３の記憶部３１に新しい機種のローカル側機種対応データを記憶させることができる。それにより、ローカルコントローラ３の記憶部３１のローカル側機種対応データとデータベースサーバ１３のセンター側機種対応データとの整合を取る（第３ステップ）。
【０１０７】
新しい機種の追加があった場合に、初期設定時に、ファームデータ設定アプリケーション２３ｈを起動して中央管理装置２からローカル側機種対応データを与えれば、ローカルコントローラ３ａ，３ｂ…３ｍへの作業を省くことができる。新しい機種追加について、ローカルコントローラ３ａ，３ｂ…３ｍに対して作業しなくても済む分だけ負担を軽減できる。また、新しい機種追加について中央管理装置２で一元管理できることから、ローカルコントローラ３ａ，３ｂ…３ｍと中央管理装置２のデータの齟齬がないかどうかを確かめる確認作業を省くことができる。
【０１０８】
（４）
図７の遠隔管理システム１は、中央管理装置２の発報データ処理用サーバ１２のハードディスク２３に、ファームデータ設定アプリケーション２３ｈが設けられている。中央管理装置２は、新しい機種に適合するローカル側機種対応データをデータベースサーバ１３から取得してローカルコントローラ３ａ，３ｂ…３ｍに送信する。中央管理装置２は、既にローカル側機種対応データをデータベースサーバ１２に記憶しており、他からローカル側機種対応データをロードする必要がない。機種追加された際に中央管理装置２以外の機器から中央管理装置２へローカル側機種対応データをロードする手間を省くことができる。
【０１０９】
（５）
図７の遠隔管理システム１において、新しい機種の追加があったとき、ローカル側機種対応データとともにファームウェアを中央管理装置２からローカルコントローラ３ａ，３ｂ…３ｍに送信することができる。そのため、ローカルコントローラ３ａ，３ｂ…３ｍで、予め必要と考えられるファームウェアを多数保持する必要がなくなる。遠隔管理システム１では、機種追加に伴って、ファームウェアを書き換える必要がある場合に対応することができ、汎用性が向上する。また、ローカルコントローラ３ａ，３ｂ…３ｍのローカルコントローラ３の記憶部３１に記憶させておくべきファームウェアを削減でき、記憶部３１の記憶容量を小さくすることができる。
【０１１０】
（６）
図１及び図７の遠隔管理システム１においては、図２及び図８の機種対応データ変更アプリケーション２３ｅにより、使用実績を見てから、ローカル側機種対応データ及びセンター側機種対応データの項目のうち必要のなくなった項目を例えば削除することができる。図１及び図７の遠隔管理システム１では、発報データ処理用サーバ１２の機種対応データ変更アプリケーション２３ｅによりローカル側機種対応データとセンター側機種対応データを変更することで、ローカルコントローラ３ａ，３ｂ…３ｍと中央管理装置２との間で、遣り取りされるデータの適正化を図ることができ、通信量の削減や記憶容量の削減を図ることができる。
【０１１１】
（７）
図１及び図７の遠隔管理システム１において、機種対応データ変更アプリケーション２３ｅまたは機種対応データ変更アプリケーション４２ｆにより、試運転前まで使用実績を勘案して、ローカル側機種対応データ及びセンター側機種対応データの項目のうち必要のなくなった項目を例えば削除することができる。他のローカルコントローラ３ａ，３ｂ…３ｍで管理されている他の空調機器５ａ，５ｂ，５ｃ…５ｎの使用実績を検討して、ローカルコントローラ３ａ，３ｂ…３ｍと中央管理装置２の間で遣り取りされるデータの適正化を図ることができ、通信量の削減や記憶容量の削減を行う図ることができる。
【０１１２】
＜変形例＞
（ａ）
上記実施形態に係る遠隔管理システム１では、空調機器５ａ、５ｂ…５ｎを管理対象としたが、管理対象は、空調機器５ａ、５ｂ…５ｎに限られない。監視対象は、例えば、セントラル式空調機器などの他形式の空調機器であっても良いし、照明機器、給湯器などであっても良い。
【０１１３】
（ｂ）
上記実施形態に係る遠隔管理システム１では、ローカルコントローラ３，３ａ，３ｂ…３ｍは、室外機６ａ，６ｂ，６ｃ…と接続されているがこれに限らず、空調機器５ａ，５ｂ…５ｎの室内機の親機と接続されていても構わない。
【０１１４】
（ｃ）
上記実施形態に係る遠隔管理システム１では、発報データ処理用サーバ１２が、ローカルコントローラ３，３ａ，３ｂ…３ｍから送信される機種データにより空調機器５ａ、５ｂ…５ｎの運転状態を監視しているが、監視するだけに限らず、機種データに基づいて発報データ処理用サーバ１２からの制御信号により空調機器５ａ、５ｂ…５ｎの運転制御を行っても構わない。
【図面の簡単な説明】
【０１１５】
【図１】第１実施形態の遠隔管理システムと管理対象の空調機器の概略構成図。
【図２】図１に示す発報データ処理用サーバの構成の概要を示すブロック図。
【図３】図１に示すローカルコントローラの構成の概要を示すブロック図。
【図４】図１に示す試運転ツールの構成の概要を示すブロック図。
【図５】図１の遠隔管理システムの試運転時における機種対応データの送信に関するフローチャート。
【図６】機種対応データのカスタマイズ時の画像を示す図。
【図７】第２実施形態の遠隔管理システムと管理対象の空調機器の概略構成図。
【図８】図７に示す発報データ処理用サーバの構成の概要を示すブロック図。
【図９】図７に示すローカルコントローラの構成の概要を示すブロック図。
【図１０】図７の遠隔管理システムの試運転時における機種対応データの送信に関するフローチャート。
【符号の説明】
【０１１６】
１  遠隔管理システム
２  中央管理装置
３，３ａ，３ｂ，３ｍ  ローカルコントローラ（ローカル管理装置）
４  公衆通信回線
５ａ，５ｂ，５ｃ，５ｍ  空調機器（設備機器）
６ａ，６ｂ，６ｃ  室外機
７ａ，７ｂ，７ｇ，７ｈ，７ｐ，７ｑ  室内機
９  試運転ツール
１２  発報データ処理用サーバ
１３  データベースサーバ
１３ｃ  ファームウェア
１３ｄ  ローカル側機種対応データ
２３  ハードディスク
２３ｅ  機種対応データ変更アプリケーション
３１  記憶部
３１ａ１  機種対応データ送信アプリケーション
３１ｃ  センター側機種対応データ記憶領域
４２  記憶装置
４２ｄ  機種対応データ取得アプリケーション
４２ｅ  機種対応設定アプリケーション
４２ｆ  機種対応データ変更アプリケーション
４２ｇ  センター側機種対応データ
【図１】
2010038430.tif 000003
【図２】
2010038430.tif 000004
【図３】
2010038430.tif 000005
【図４】
2010038430.tif 000006
【図５】
2010038430.tif 000007
【図６】
2010038430.tif 000008
【図７】
2010038430.tif 000009
【図８】
2010038430.tif 000010
【図９】
2010038430.tif 000011
【図１０】
2010038430.tif 000012